(57)【要約】【課題】コース上の同じ地点における過去の同じレベル，同じ気象状態での使用クラブやボール到達地点情報を、ボールが移動する度にユーザ携帯端末に自動的に送信する。【解決手段】ゴルフボール２０が移動する度に、複数の領域に分割されたコースの領域毎に配置され領域毎に設定された一意の位置識別番号を予め記憶しているタグリーダライタ３０が、ゴルフボール２０に内蔵された無線ＩＣタグ２１からプレーヤーＩＤを読み取り位置識別番号とともに管理サーバ４０に送信し、プレー履歴情報を格納している管理サーバ４０は、受信したプレーヤーＩＤのプレーヤーと同じプレーヤーレベルで気象状態が一致するプレー履歴情報を検索し、受信した位置識別番号に対応して登録されている使用クラブ情報とショット後の位置識別番号とを含むプレー履歴情報を抽出してユーザ携帯端末１０に送信する。【選択図】      図１
2006087821.tif 000002
【特許請求の範囲】
【請求項１】
ユーザ携帯端末と、タグリーダライタと、管理サーバと、これらを相互に接続するネットワークとを備えたゴルフ支援システムであって、
前記ユーザ携帯端末は、前記管理サーバにアクセスし自分のプレーヤーレベルとプレーヤーＩＤを予め登録する手段と、前記管理サーバから送信されるプレー履歴情報を受信，表示する手段と、前記管理サーバにアクセスしショット毎にプレーヤーから入力される使用クラブ情報を送信する手段とを有し、
前記タグリーダライタは、複数の領域に分割されたコースの領域毎に配置され、領域毎に設定された一意の位置識別番号を予め記憶する手段と、読み取り範囲内にあるゴルフボールに内蔵された無線ＩＣタグからプレーヤーＩＤを取得する手段と、取得したプレーヤーＩＤに前記位置識別番号を付して前記管理サーバに送信する手段とを有し、
前記管理サーバは、プレー当日の気象状態情報を登録，更新する手段と、プレーヤーＩＤ，位置識別番号または使用クラブ情報を受信する度にプレーヤーレベル，気象状態情報とともにプレー履歴情報として登録する手段と、プレーヤーＩＤおよび位置識別番号を受信する度に、受信したプレーヤーＩＤのプレーヤーと同じプレーヤーレベルで気象状態が一致するプレー履歴情報を検索し、受信した位置識別番号に対応して登録されている使用クラブ情報とショット後の位置識別番号とを含むプレー履歴情報を抽出する手段と、抽出した前記プレー履歴情報を前記ユーザ携帯端末に送信する手段とを有することを特徴とするゴルフ支援システム。
【請求項２】
前記タグリーダライタは、ゴルフボールに内蔵された無線ＩＣタグからプレーヤーＩＤを周期的に取得し、同じプレーヤーＩＤを所定回数連続して取得したときに前記管理サーバに送信することを特徴とする請求項１記載のゴルフ支援システム。
【請求項３】
前記タグリーダライタは、プレーヤーＩＤと位置識別番号を前記管理サーバに送信するときに、前記無線ＩＣタグから送られたプレーヤーＩＤの受信電波強度を併せて送信し、前記管理サーバは、同じプレーヤーＩＤを複数のタグリーダライタから受信した場合に、電波強度が最大のタグリーダライタの位置識別番号をプレー履歴情報として登録することを特徴とする請求項１または２記載のゴルフ支援システム。
【請求項４】
前記タグリーダライタは、前記管理サーバに送信した位置識別番号に時刻情報を付してゴルフボールに内蔵された無線ＩＣタグに書き込む手段を、さらに有することを特徴とする請求項１，２または３記載のゴルフ支援システム。
【請求項５】
前記管理サーバは、受信したプレーヤーＩＤのプレーヤーと同じプレーヤーレベルのプレー履歴情報検索時に該当情報が得られなかった場合は、予め設定された他のプレーヤーレベルのプレー履歴情報を検索，抽出することを特徴とする請求項１，２，３または４記載のゴルフ支援システム。
【請求項６】
前記管理サーバは、受信した位置識別番号に対応して登録されている使用クラブ情報とショット後の位置識別番号とを含むプレー履歴情報を抽出するときに、抽出数を限定することを特徴とする請求項１〜５のいずれか１項記載のゴルフ支援システム。
【請求項７】
前記管理サーバは、受信した位置識別番号と抽出したショット後の位置識別番号とをホールマップ上に表示したホールマップ情報を生成し、抽出した前記プレー履歴情報とともに前記ユーザ携帯端末に送信することを特徴とする請求項１〜６のいずれか１項記載のゴルフ支援システム。
【請求項８】
前記気象状態情報は、少なくとも風向きと風速を含むことを特徴とする請求項１〜７のいずれか１項記載のゴルフ支援システム。
【請求項９】
無線ＩＣタグ情報を非接触で読み取るタグリーダと、ホールマップの各領域と位置識別番号の対応関係を予め記憶している記憶部と、表示部とを備えた軌跡表示装置をさらに有し、前記軌跡表示装置は、ゴルフボールの無線ＩＣタグに書き込まれた位置識別番号と時刻情報を前記タグリーダにより読み取り、前記記憶部を参照してゴルフボールの移動軌跡を前記表示部に表示する手段を有することを特徴とする請求項４〜８のいずれか１項記載のゴルフ支援システム。
【請求項１０】
ユーザ携帯端末とタグリーダライタとにネットワークを介して接続される管理サーバであって、プレー当日の気象状態情報を登録，更新する手段と、前記タグリーダライタからのプレーヤーＩＤ，位置識別番号、または前記ユーザ携帯端末からの使用クラブ情報を受信する度に、プレーヤーＩＤ毎に予め登録されたプレーヤーレベル，気象状態情報とともにプレー履歴情報として登録する手段と、プレーヤーＩＤおよび位置識別番号を受信する度に、受信したプレーヤーＩＤのプレーヤーと同じプレーヤーレベルで気象状態が一致するプレー履歴情報を検索し、受信した位置識別番号に対応して登録されている使用クラブ情報とショット後の位置識別番号とを含むプレー履歴情報を抽出する手段と、抽出した前記プレー履歴情報を前記ユーザ携帯端末に送信する手段とを有することを特徴とする管理サーバ。
【請求項１１】
ユーザ携帯端末とタグリーダライタとにネットワークを介して接続される管理サーバであって、プレー当日の気象状態情報を登録，更新する手段と、前記タグリーダライタからプレーヤーＩＤ，電波強度および位置識別番号を受信したときに、同じプレーヤーＩＤを一つのタグリーダライタから受信した場合には、そのタグリーダライタの位置識別番号をプレーヤーＩＤ毎に予め登録されたプレーヤーレベル，気象状態情報とともにプレー履歴情報として登録し、同じプレーヤーＩＤを複数のタグリーダライタから受信した場合には、電波強度が最大のタグリーダライタの位置識別番号をプレーヤーレベル，気象状態情報とともにプレー履歴情報として登録する手段と、前記ユーザ携帯端末から使用クラブ情報を受信したときに前記プレー履歴情報に登録する手段と、プレーヤーＩＤおよび位置識別番号を受信する度に、受信したプレーヤーＩＤのプレーヤーと同じプレーヤーレベルで気象状態が一致するプレー履歴情報を検索し、受信した位置識別番号に対応して登録されている使用クラブ情報とショット後の位置識別番号とを含むプレー履歴情報を抽出する手段と、受信したプレーヤーＩＤのプレーヤーと同じプレーヤーレベルのプレー履歴情報検索時に該当情報が得られなかった場合は、予め設定された他のプレーヤーレベルのプレー履歴情報を検索，抽出する手段と、抽出した前記プレー履歴情報を前記ユーザ携帯端末に送信する手段とを有することを特徴とする管理サーバ。
【請求項１２】
ユーザ携帯端末と、タグリーダライタと、管理サーバと、これらを相互に接続するネットワークとを用いたゴルフ支援方法であって、
ゴルフボールがコース上を移動する度に、複数の領域に分割されたコースの領域毎に配置され領域毎に設定された一意の位置識別番号を予め記憶している前記タグリーダライタが、ゴルフボールに内蔵された無線ＩＣタグからプレーヤーＩＤを読み取り位置識別番号とともに前記管理サーバに送信し、プレー履歴情報を格納している前記管理サーバは、受信したプレーヤーＩＤのプレーヤーと同じプレーヤーレベルで気象状態が一致するプレー履歴情報を検索し、受信した位置識別番号に対応して登録されている使用クラブ情報とショット後の位置識別番号とを含むプレー履歴情報を抽出して前記ユーザ携帯端末に送信することを特徴とするゴルフ支援方法。
【請求項１３】
ユーザ携帯端末と、タグリーダライタと、管理サーバと、これらを相互に接続するネットワークとを用いたゴルフ支援方法であって、
前記ユーザ携帯端末が前記管理サーバにアクセスし自分のプレーヤーレベルとプレーヤーＩＤを予め登録する第１のステップと、
前記管理サーバがプレー当日の気象状態情報を登録，更新する第２のステップと、
ゴルフボールがコース上を移動する度に、複数の領域に分割されたコースの領域毎に配置され領域毎に設定された一意の位置識別番号を予め記憶している前記タグリーダライタが、ゴルフボールに内蔵された無線ＩＣタグからプレーヤーＩＤを周期的に取得し、同じプレーヤーＩＤを所定回数連続して取得したときに、電波強度，位置識別番号とともに前記管理サーバに送信する第３のステップと、
前記タグリーダライタが、位置識別番号に時刻情報を付してゴルフボールに内蔵された無線ＩＣタグに書き込む第４のステップと、
前記管理サーバが同じプレーヤーＩＤを一つのタグリーダライタから受信した場合には、そのタグリーダライタの位置識別番号をプレーヤーレベル，気象状態情報とともにプレー履歴情報として登録する第５のステップと、
前記管理サーバが同じプレーヤーＩＤを複数のタグリーダライタから受信した場合には、電波強度が最大のタグリーダライタの位置識別番号をプレーヤーレベル，気象状態情報とともにプレー履歴情報として登録する第６のステップと、
前記管理サーバがプレーヤーＩＤおよび位置識別番号を受信する度に、受信したプレーヤーＩＤのプレーヤーと同じプレーヤーレベルで気象状態が一致するプレー履歴情報を検索し、受信した位置識別番号に対応して登録されている使用クラブ情報とショット後の位置識別番号を含むプレー履歴情報を抽出する第７のステップと、
受信したプレーヤーＩＤのプレーヤーと同じプレーヤーレベルのプレー履歴情報検索時に該当情報が得られなかった場合は、予め設定された他のプレーヤーレベルのプレー履歴情報を前記管理サーバが検索，抽出する第８のステップと、
前記管理サーバが抽出した前記プレー履歴情報を前記ユーザ携帯端末に送信する第９のステップと、
前記ユーザ携帯端末が前記管理サーバにアクセスし、ショット毎にプレーヤーから入力される使用クラブ情報を送信し、前記管理サーバが受信した使用クラブ情報を前記プレー履歴情報に登録する第１０のステップと、
前記第４のステップでゴルフボールの無線ＩＣタグに書き込まれた位置識別番号と時刻情報を前記ユーザ携帯端末または他の装置が読み取り、コースにおけるゴルフボールの移動軌跡を表示する第１１のステップとを有することを特徴とするゴルフ支援方法。
【請求項１４】
気象状態情報を登録，更新する機能、第１の外部装置からのプレーヤーＩＤ，位置識別番号、または第２の外部装置からの使用クラブ情報を受信する度に、プレーヤーＩＤ毎に予め登録されたプレーヤーレベル，気象状態情報とともにプレー履歴情報として登録する機能、プレーヤーＩＤおよび位置識別番号を受信する度に、受信したプレーヤーＩＤのプレーヤーと同じプレーヤーレベルで気象状態が一致するプレー履歴情報を検索し、受信した位置識別番号に対応して登録されている使用クラブ情報とショット後の位置識別番号を含むプレー履歴情報を抽出する機能、抽出した前記プレー履歴情報を前記第２の外部端末に送信する機能、をコンピュータに実現させるためのプログラム。
【請求項１５】
気象状態情報を登録，更新する機能、第１の外部装置からプレーヤーＩＤ，電波強度および位置識別番号を受信したときに、同じプレーヤーＩＤを一つの第１の外部装置から受信した場合には、その外部装置の位置識別番号をプレーヤーＩＤ毎に予め登録されたプレーヤーレベル，気象状態情報とともにプレー履歴情報として登録し、同じプレーヤーＩＤを複数の第１の外部装置から受信した場合には、電波強度が最大の第１の外部装置の位置識別番号をプレーヤーレベル，気象状態情報とともにプレー履歴情報として登録する機能、第２の外部装置から使用クラブ情報を受信したときに前記プレー履歴情報に登録する手段と、プレーヤーＩＤおよび位置識別番号を受信する度に、受信したプレーヤーＩＤのプレーヤーと同じプレーヤーレベルで気象状態が一致するプレー履歴情報を検索し、受信した位置識別番号に対応して登録されている使用クラブ情報とショット後の位置識別番号とを含むプレー履歴情報を抽出する機能、受信したプレーヤーＩＤのプレーヤーと同じプレーヤーレベルのプレー履歴情報検索時に該当情報が得られなかった場合は、予め設定された他のプレーヤーレベルのプレー履歴情報を検索，抽出する機能、抽出した前記プレー履歴情報を前記第２の外部装置に送信する機能、をコンピュータに実現させるためのプログラム。
【発明の詳細な説明】
【技術分野】
【０００１】
本発明は、ゴルフ支援システム，方法，管理サーバおよびプログラムに関し、特に無線ＩＣタグを内蔵したゴルフボールを用いたゴルフ支援システム，方法，管理サーバおよびプログラムに関する。
【背景技術】
【０００２】
ゴルフ場でショットしたときにゴルフボールの飛んでいった場所がすぐには分からないことがある。また、コース上の各地点でショットするときにどのクラブを使用すればよいか迷うことがある。こういう場合に、自分の打ったゴルフボールの到達場所を自動的に表示してくれるシステムや、そのコース上の各地点における過去のプレー実績を基に使用クラブとゴルフボール到達点の関連がわかる情報を示してくれるシステムがあれば有益である。そして、これらのシステムに関連した従来例として、例えば特開２０００−５３６６号公報（特許文献１）がある。
【０００３】
この特許文献１においては、ＩＤコードを発信する無線ＩＣタグをゴルフボールに内蔵し、ゴルフ練習場の各領域に配置されたタグリーダが自領域内に到達したゴルフボールのＩＤコードを読み取り、タグリーダ識別番号とともに表示装置に送信している。表示装置はゴルフ練習場のプレーヤー打席近辺に設置されており、受信した情報を基にゴルフボールの到達領域を飛距離等とともに表示する。プレーヤーは表示装置に表示された到達領域や飛距離等を参照する。なお、プレーヤーが使用クラブの種類，番手を予め表示装置に入力しておくことにより、表示装置はゴルフボールの到達領域や飛距離等とともに使用クラブ情報を表示する。プレーヤーはこれらの表示情報をプリントアウトして持ち帰ることにより、今後の参考にすることができる。
【０００４】
【特許文献１】特開２０００−５３６６号公報（段落「０００９」、「００２８」）
【発明の開示】
【発明が解決しようとする課題】
【０００５】
上述した特許文献１に記載の発明においては、ゴルフボールに内蔵した無線ＩＣタグ情報を、各領域に設置されたタグリーダのいずれが読み取ったかにより場所情報を取得しているため、ゴルフボールの到達場所を自動的に表示することは可能である。
【０００６】
しかし、クラブ情報については、ショットする前に自分で入力したクラブの種類と番手が上記到達場所とともに表示されるに留まっている。実際のコースにおいては、各ホール，ホール内の各地点や当日の気象状態（風向き，風速，晴雨等）等により、クラブとゴルフボール到達場所の関係が様々に変化する。また、このクラブとゴルフボール到達場所の関係はプレーヤーのレベルによっても変化する。特許文献１に記載の発明においては、以上の変化に対応するためのクラブ選択情報をプレーヤーに提供することができないという問題がある。
【０００７】
本発明は、以上の問題を解決するゴルフ支援システム，方法，管理サーバおよびプログラムを提供することを目的とする。
【課題を解決するための手段】
【０００８】
本発明の第１のゴルフ支援システムは、ユーザ携帯端末と、タグリーダライタと、管理サーバと、これらを相互に接続するネットワークとを備えたゴルフ支援システムであって、
前記ユーザ携帯端末は、前記管理サーバにアクセスし自分のプレーヤーレベルとプレーヤーＩＤを予め登録する手段と、前記管理サーバから送信されるプレー履歴情報を受信，表示する手段と、前記管理サーバにアクセスしショット毎にプレーヤーから入力される使用クラブ情報を送信する手段とを有し、
前記タグリーダライタは、複数の領域に分割されたコースの領域毎に配置され、領域毎に設定された一意の位置識別番号を予め記憶する手段と、読み取り範囲内にあるゴルフボールに内蔵された無線ＩＣタグからプレーヤーＩＤを取得する手段と、取得したプレーヤーＩＤに前記位置識別番号を付して前記管理サーバに送信する手段とを有し、
前記管理サーバは、プレー当日の気象状態情報を登録，更新する手段と、プレーヤーＩＤ，位置識別番号または使用クラブ情報を受信する度にプレーヤーレベル，気象状態情報とともにプレー履歴情報として登録する手段と、プレーヤーＩＤおよび位置識別番号を受信する度に、受信したプレーヤーＩＤのプレーヤーと同じプレーヤーレベルで気象状態が一致するプレー履歴情報を検索し、受信した位置識別番号に対応して登録されている使用クラブ情報とショット後の位置識別番号とを含むプレー履歴情報を抽出する手段と、抽出した前記プレー履歴情報を前記ユーザ携帯端末に送信する手段とを有する。
【０００９】
本発明の第２のゴルフ支援システムは、本発明の第１のゴルフ支援システムにおいて、前記タグリーダライタは、ゴルフボールに内蔵された無線ＩＣタグからプレーヤーＩＤを周期的に取得し、同じプレーヤーＩＤを所定回数連続して取得したときに前記管理サーバに送信することを特徴とする。
【００１０】
本発明の第３のゴルフ支援システムは、本発明の第１または第２のゴルフ支援システムにおいて、前記タグリーダライタは、プレーヤーＩＤと位置識別番号を前記管理サーバに送信するときに、前記無線ＩＣタグから送られたプレーヤーＩＤの受信電波強度を併せて送信し、前記管理サーバは、同じプレーヤーＩＤを複数のタグリーダライタから受信した場合に、電波強度が最大のタグリーダライタの位置識別番号をプレー履歴情報として登録することを特徴とする。
【００１１】
本発明の第４のゴルフ支援システムは、本発明の第１，第２または第３のゴルフ支援システムにおいて、前記タグリーダライタは、前記管理サーバに送信した位置識別番号に時刻情報を付してゴルフボールに内蔵された無線ＩＣタグに書き込む手段を、さらに有する。
【００１２】
本発明の第５のゴルフ支援システムは、本発明の第１，第２，第３または第４のゴルフ支援システムにおいて、前記管理サーバは、受信したプレーヤーＩＤのプレーヤーと同じプレーヤーレベルのプレー履歴情報検索時に該当情報が得られなかった場合は、予め設定された他のプレーヤーレベルのプレー履歴情報を検索，抽出することを特徴とする。
【００１３】
本発明の第６のゴルフ支援システムは、本発明の第１〜第５のいずれかのゴルフ支援システムにおいて、前記管理サーバは、受信した位置識別番号に対応して登録されている使用クラブ情報とショット後の位置識別番号とを含むプレー履歴情報を抽出するときに、抽出数を限定することを特徴とする。
【００１４】
本発明の第７のゴルフ支援システムは、本発明の第１〜第６のいずれかのゴルフ支援システムにおいて、前記管理サーバは、受信した位置識別番号と抽出したショット後の位置識別番号とをホールマップ上に表示したホールマップ情報を生成し、抽出した前記プレー履歴情報とともに前記ユーザ携帯端末に送信することを特徴とする。
【００１５】
本発明の第８のゴルフ支援システムは、本発明の第１〜第７のいずれかのゴルフ支援システムにおいて、前記気象状態情報は、少なくとも風向きと風速を含むことを特徴とする。
【００１６】
本発明の第９のゴルフ支援システムは、本発明の第４〜第８のいずれかのゴルフ支援システムにおいて、無線ＩＣタグ情報を非接触で読み取るタグリーダと、ホールマップの各領域と位置識別番号の対応関係を予め記憶している記憶部と、表示部とを備えた軌跡表示装置をさらに有し、前記軌跡表示装置は、ゴルフボールの無線ＩＣタグに書き込まれた位置識別番号と時刻情報を前記タグリーダにより読み取り、前記記憶部を参照してゴルフボールの移動軌跡を前記表示部に表示する手段を有する。
【００１７】
本発明の第１の管理サーバは、ユーザ携帯端末とタグリーダライタとにネットワークを介して接続される管理サーバであって、プレー当日の気象状態情報を登録，更新する手段と、前記タグリーダライタからのプレーヤーＩＤ，位置識別番号、または前記ユーザ携帯端末からの使用クラブ情報を受信する度に、プレーヤーＩＤ毎に予め登録されたプレーヤーレベル，気象状態情報とともにプレー履歴情報として登録する手段と、プレーヤーＩＤおよび位置識別番号を受信する度に、受信したプレーヤーＩＤのプレーヤーと同じプレーヤーレベルで気象状態が一致するプレー履歴情報を検索し、受信した位置識別番号に対応して登録されている使用クラブ情報とショット後の位置識別番号とを含むプレー履歴情報を抽出する手段と、抽出した前記プレー履歴情報を前記ユーザ携帯端末に送信する手段とを有する。
【００１８】
本発明の第２の管理サーバは、ユーザ携帯端末とタグリーダライタとにネットワークを介して接続される管理サーバであって、プレー当日の気象状態情報を登録，更新する手段と、前記タグリーダライタからプレーヤーＩＤ，電波強度および位置識別番号を受信したときに、同じプレーヤーＩＤを一つのタグリーダライタから受信した場合には、そのタグリーダライタの位置識別番号をプレーヤーＩＤ毎に予め登録されたプレーヤーレベル，気象状態情報とともにプレー履歴情報として登録し、同じプレーヤーＩＤを複数のタグリーダライタから受信した場合には、電波強度が最大のタグリーダライタの位置識別番号をプレーヤーレベル，気象状態情報とともにプレー履歴情報として登録する手段と、前記ユーザ携帯端末から使用クラブ情報を受信したときに前記プレー履歴情報に登録する手段と、プレーヤーＩＤおよび位置識別番号を受信する度に、受信したプレーヤーＩＤのプレーヤーと同じプレーヤーレベルで気象状態が一致するプレー履歴情報を検索し、受信した位置識別番号に対応して登録されている使用クラブ情報とショット後の位置識別番号とを含むプレー履歴情報を抽出する手段と、受信したプレーヤーＩＤのプレーヤーと同じプレーヤーレベルのプレー履歴情報検索時に該当情報が得られなかった場合は、予め設定された他のプレーヤーレベルのプレー履歴情報を検索，抽出する手段と、抽出した前記プレー履歴情報を前記ユーザ携帯端末に送信する手段とを有する。
【００１９】
本発明の第１のゴルフ支援方法は、ユーザ携帯端末と、タグリーダライタと、管理サーバと、これらを相互に接続するネットワークとを用いたゴルフ支援方法であって、
ゴルフボールがコース上を移動する度に、複数の領域に分割されたコースの領域毎に配置され領域毎に設定された一意の位置識別番号を予め記憶している前記タグリーダライタが、ゴルフボールに内蔵された無線ＩＣタグからプレーヤーＩＤを読み取り位置識別番号とともに前記管理サーバに送信し、プレー履歴情報を格納している前記管理サーバは、受信したプレーヤーＩＤのプレーヤーと同じプレーヤーレベルで気象状態が一致するプレー履歴情報を検索し、受信した位置識別番号に対応して登録されている使用クラブ情報とショット後の位置識別番号とを含むプレー履歴情報を抽出して前記ユーザ携帯端末に送信することを特徴とする。
【００２０】
本発明の第２のゴルフ支援方法は、ユーザ携帯端末と、タグリーダライタと、管理サーバと、これらを相互に接続するネットワークとを用いたゴルフ支援方法であって、
前記ユーザ携帯端末が前記管理サーバにアクセスし自分のプレーヤーレベルとプレーヤーＩＤを予め登録する第１のステップと、
前記管理サーバがプレー当日の気象状態情報を登録，更新する第２のステップと、
ゴルフボールがコース上を移動する度に、複数の領域に分割されたコースの領域毎に配置され領域毎に設定された一意の位置識別番号を予め記憶している前記タグリーダライタが、ゴルフボールに内蔵された無線ＩＣタグからプレーヤーＩＤを周期的に取得し、同じプレーヤーＩＤを所定回数連続して取得したときに、電波強度，位置識別番号とともに前記管理サーバに送信する第３のステップと、
前記タグリーダライタが、位置識別番号に時刻情報を付してゴルフボールに内蔵された無線ＩＣタグに書き込む第４のステップと、
前記管理サーバが同じプレーヤーＩＤを一つのタグリーダライタから受信した場合には、そのタグリーダライタの位置識別番号をプレーヤーレベル，気象状態情報とともにプレー履歴情報として登録する第５のステップと、
前記管理サーバが同じプレーヤーＩＤを複数のタグリーダライタから受信した場合には、電波強度が最大のタグリーダライタの位置識別番号をプレーヤーレベル，気象状態情報とともにプレー履歴情報として登録する第６のステップと、
前記管理サーバがプレーヤーＩＤおよび位置識別番号を受信する度に、受信したプレーヤーＩＤのプレーヤーと同じプレーヤーレベルで気象状態が一致するプレー履歴情報を検索し、受信した位置識別番号に対応して登録されている使用クラブ情報とショット後の位置識別番号を含むプレー履歴情報を抽出する第７のステップと、
受信したプレーヤーＩＤのプレーヤーと同じプレーヤーレベルのプレー履歴情報検索時に該当情報が得られなかった場合は、予め設定された他のプレーヤーレベルのプレー履歴情報を前記管理サーバが検索，抽出する第８のステップと、
前記管理サーバが抽出した前記プレー履歴情報を前記ユーザ携帯端末に送信する第９のステップと、
前記ユーザ携帯端末が前記管理サーバにアクセスし、ショット毎にプレーヤーから入力される使用クラブ情報を送信し、前記管理サーバが受信した使用クラブ情報を前記プレー履歴情報に登録する第１０のステップと、
前記第４のステップでゴルフボールの無線ＩＣタグに書き込まれた位置識別番号と時刻情報を前記ユーザ携帯端末または他の装置が読み取り、コースにおけるゴルフボールの移動軌跡を表示する第１１のステップとを有する。
【００２１】
本発明の第１のプログラムは、気象状態情報を登録，更新する機能、第１の外部装置からのプレーヤーＩＤ，位置識別番号、または第２の外部装置からの使用クラブ情報を受信する度に、プレーヤーＩＤ毎に予め登録されたプレーヤーレベル，気象状態情報とともにプレー履歴情報として登録する機能、プレーヤーＩＤおよび位置識別番号を受信する度に、受信したプレーヤーＩＤのプレーヤーと同じプレーヤーレベルで気象状態が一致するプレー履歴情報を検索し、受信した位置識別番号に対応して登録されている使用クラブ情報とショット後の位置識別番号を含むプレー履歴情報を抽出する機能、抽出した前記プレー履歴情報を前記第２の外部端末に送信する機能、をコンピュータに実現させる。
【００２２】
本発明の第２のプログラムは、気象状態情報を登録，更新する機能、第１の外部装置からプレーヤーＩＤ，電波強度および位置識別番号を受信したときに、同じプレーヤーＩＤを一つの第１の外部装置から受信した場合には、その外部装置の位置識別番号をプレーヤーＩＤ毎に予め登録されたプレーヤーレベル，気象状態情報とともにプレー履歴情報として登録し、同じプレーヤーＩＤを複数の第１の外部装置から受信した場合には、電波強度が最大の第１の外部装置の位置識別番号をプレーヤーレベル，気象状態情報とともにプレー履歴情報として登録する機能、第２の外部装置から使用クラブ情報を受信したときに前記プレー履歴情報に登録する手段と、プレーヤーＩＤおよび位置識別番号を受信する度に、受信したプレーヤーＩＤのプレーヤーと同じプレーヤーレベルで気象状態が一致するプレー履歴情報を検索し、受信した位置識別番号に対応して登録されている使用クラブ情報とショット後の位置識別番号とを含むプレー履歴情報を抽出する機能、受信したプレーヤーＩＤのプレーヤーと同じプレーヤーレベルのプレー履歴情報検索時に該当情報が得られなかった場合は、予め設定された他のプレーヤーレベルのプレー履歴情報を検索，抽出する機能、抽出した前記プレー履歴情報を前記第２の外部装置に送信する機能、をコンピュータに実現させる。
【発明の効果】
【００２３】
本発明は、ボールが移動する度にその地点における使用クラブとショット後のボール到達場所の情報を、プレーヤーのレベルや気象状態が一致する過去のプレー履歴から抽出してプレーヤが携帯する端末に送信している。これにより、プレーヤーはコース上の同じ地点における過去の同じレベル，同じ気象状態での使用クラブやボール到達地点情報が自動的に得られるため、各プレー地点でのクラブ選択が容易になるという効果がある。
【発明を実施するための最良の形態】
【００２４】
本発明の実施の形態について図面を参照して詳細に説明する。
【００２５】
図１は、本発明の一実施の形態の構成を示す図であり、ユーザ携帯端末１０と、ゴルフボール２０と、タグリーダライタ３０と、管理サーバ４０とを備えている。なお、ネットワーク１００は、ユーザ携帯端末１０，タグリーダライタ３０，管理サーバ４０を相互に接続するインターネット等の通信ネットワークである。
【００２６】
ユーザ携帯端末１０は、ゴルフ場においてプレーヤーが携帯する携帯電話機，ＰＨＳ（Personal Handyphone System），ＰＤＡ（Personal Digital Assistance）等の無線通信機能付きの情報処理装置である。このユーザ携帯端末１０はプログラムにより制御され、ネットワーク１００を介して管理サーバ４０にアクセスし入力を行う機能と、電子メール送受信機能と、受信情報をＬＣＤ(Liquid Crystal Display)等の表示部に表示する表示機能とを備えている。
【００２７】
ゴルフボール２０は、無線ＩＣタグ２１を内蔵したゴルフボールである。この無線ＩＣタグ２１は、非接触で情報を送受信するＲＦＩＤ（Radio Frequency Identification）タグであり、プレーヤーを一意に識別するためのプレーヤーＩＤを記憶している。また、この無線ＩＣタグ２１はアクティブタグ（バッテリー内蔵のタグで、リーダライタからエネルギーを受けなくても送受信が可能なタグ）であり、予め設定された周期で（例えば、５秒毎に）プレーヤーＩＤを送信する機能を備えている。
【００２８】
タグリーダライタ３０は、コースに配置される据え置き型のリーダライタであり、リーダライタ部３１と、制御部３２と、時計部３３と、記憶部３４と、通信部３５とを備えている。リーダライタ部３１は、ゴルフボール２０の無線ＩＣタグ２１との間で非接触で情報の読み取り，書き込みを行う機能と、無線ＩＣタグ２１からプレーヤーＩＤを受信したときにプレーヤーＩＤと電波強度を制御部３２に通知する機能とを備えている。制御部３２は、プログラムにより制御されるＣＰＵ（Central Processing Unit）等の制御装置である。この制御部３２は、
・同じプレーヤーＩＤを所定回数連続して受信した場合に、電波強度と自装置に予め設定された位置識別番号を付して管理サーバ４０に送信する機能。
・自装置に予め設定された位置識別番号に時刻情報を付して、ゴルフボール２０の無線ＩＣタグ２１への書き込みをリーダライタ部３１に指示する機能。
を備えている。
時計部３３は時刻情報を生成する機能を備え、記憶部３４は読み出し，書き込み可能な記憶装置であり、通信部３５は接続されるＬＡＮ（Local Area Network）等のネットワークとの通信インターフェース部である。このタグリーダライタ３０はコース上に複数配置され、管理サーバ４０に接続される。管理サーバ４０との接続方法としては、例えば、複数のタグリーダライタ３０を有線ＬＡＮで接続し、ネットワーク１００（インターネット）を介して管理サーバ４０に接続する。また、複数のタグリーダライタ３０を有線ＬＡＮで接続し、管理サーバ４０が接続されている有線ＬＡＮとの間を無線ＬＡＮで接続するようにしてもよい。このタグリーダライタ３０には、コース上における位置（領域）を識別するための位置識別番号が予め設定され記憶部３４に格納されている。
【００２９】
ここで、コース上における位置識別について説明する。図４（プレー履歴に基づいたホールマップ情報を示す図）に示すように、コースを格子状の各領域に分割し、Ａ，Ｂ，Ｃ等の領域毎に一意の位置識別番号を付与する。位置識別番号は、例えば、ホール番号と各ホールにおける連番の組みあわせで構成し、第３ホールであれば０３００１，０３００２〜の連番、第１１ホールであれば１１００１，１１００２〜の連番とする。各領域は、一つのタグリーダライタ３０でゴルフボール２０のタグ情報の読み取り，書き込みが可能な範囲である。換言すれば、タグリーダライタ３０の電波指向性やタグ情報読み取り，書き込み可能範囲の性能等により、一つの領域の広さが決定される。タグリーダライタ３０は、例えばコースの地中に埋設される。そして、埋設されたタグリーダライタ３０は、自領域の地面上に存在するゴルフボール２０の無線ＩＣタグ２１と送受信を行う。埋設されたタグリーダライタ３０と地面との距離はタグリーダライタ３０の読み取り，書き込み可能な距離であればよい。なお、ゴルフボール２０がコース上のどの位置にあっても、いずれかのタグリーダライタ３０が読み取り，書き込み可能でなければならない。一方、タグリーダライタ３０の読み取り，書き込み可能範囲を、図４に示す四角形の各領域とぴったり一致させることは難しい。しかし、ゴルフボール２０を検知できない場所があってはならないため、（各タグリーダライタ３０の読み取り，書き込み可能範囲）⊇（各タグリーダライタ３０の配置領域）とする必要がある。このため、自領域（担当領域）を完全に検知するよう配置された各タグリーダライタ３０は、隣接する他領域の一部分（領域境界の周辺部分）にあるゴルフボール２０に対しても読み取り，書き込みが可能になる場合がある。この場合の処理（電波強度の比較による領域決定）については後述する。
【００３０】
管理サーバ４０は、ワークステーション・サーバ等の情報処理装置であり、制御部４１と、記憶部４２とを備えている。
【００３１】
制御部４１は、ＣＰＵ等の制御装置であり、プログラムにより動作を制御される。この制御部４１は、
・タグリーダライタ３０からプレーヤーＩＤと位置識別番号を受信したときに、複数のタグリーダライタ３０から同じプレーヤーＩＤを受信したかを照合する機能。
・複数のタグリーダライタ３０から同じプレーヤーＩＤを受信した場合に、プレーヤーＩＤとともに受信した電波強度が最も大きいタグリーダライタ３０の位置識別番号をボール存在地点と判断する機能。
・タグリーダライタ３０からプレーヤーＩＤと位置識別番号を受信する度に、また、ユーザ携帯端末１０から使用クラブ情報（クラブの種類，番手）を受信する度に、気象状態やプレーヤーレベル情報とともにプレー履歴データベース４２２に登録する機能。
・タグリーダライタ３０からプレーヤーＩＤと位置識別番号を受信する度にプレー履歴データベース４２２を参照し、同じプレーヤーレベル，気象状態，位置識別番号における過去の使用クラブ情報やボール到達地点情報を検索，抽出する機能。
・抽出した位置識別番号における過去の使用クラブ情報やボール到達地点情報を基に、これら情報を含んだホールマップを生成し、ユーザ携帯端末１０にメール送信する機能。
を備えている。
【００３２】
記憶部４２は、読み出し，書き込み可能な記憶装置であり、プレーヤー情報データベース４２１と、プレー履歴データベース４２２と、コースマップデータベース４２３とを含んでいる。プレーヤー情報データベース４２１には、図２（プレーヤー情報データベース４２１に格納されるデータの一例を示す図）に示すように、プレーヤーＩＤ，プレーヤーレベル，メールアドレスを含む情報が登録されている。プレーヤーＩＤは、プレーヤーが管理サーバ４０に予め会員登録をするときに与えられる、プレーヤーを一意に特定する識別番号等である。プレーヤーレベルは、例えばハンディキャップが１０以内の人はレベル１、ハンディキャップが１１〜２０の人はレベル２、というような幾つかのレベルのどのレベルに属するかを示す情報である。メールアドレスはプレーヤーのユーザ携帯端末１０の電子メールアドレスである。これらの情報は会員登録時にプレーヤーにより予め登録されている。プレー履歴データベース４２２には、図３（プレー履歴データベース４２２に格納されるデータの一例を示す図）に示すような情報がプレー履歴として登録される。すなわち、年月日（プレー年月日），風向き，風速，晴／雨，プレーヤーレベル，プレーヤーＩＤ，ボール存在地点，使用クラブ情報（種類，番手）が制御部４１により登録される。なお、晴／雨については、晴れ，曇り，雨，雪等の天気のことであり、使用クラブに与える影響を考慮すると、晴れ，曇りを纏めて晴とし、雨，雪を纏めて雨として登録してもよい。コースマップデータベース４２３には、コースの各ホールを複数の領域に分けた形で表示したホールマップ（例えば、図４参照）と、各領域と位置識別番号を対応付けたテーブルと、領域間距離情報とが格納されている。
【００３３】
次に、本発明の一実施の形態の動作について図１〜図５を参照して詳細に説明する。図５は、本発明の一実施の形態の動作を示すフローチャートである。
【００３４】
まず、プレー前の事前登録について図５のステップＡ１〜ステップＡ３を参照して説明する。管理者はプレー日当日現在のゴルフ場における気象状態（風向き，風速，晴雨等）を、図示しない管理者端末から管理サーバ４０に入力する。風向きについては、例えば、北，東，南，西の４方向と、それらの中間（北東，南東，南西，北西）の４方向とを含む８方向のいずれかを登録する。管理サーバ４０の制御部４１は、入力された気象状態をプレー履歴データベース４２２の図示しない記憶領域に現在の気象状態情報として登録する。なお、登録された気象状態情報はその後気象状態が変わる度に更新される。また、管理サーバ４０への気象状態の入力は、制御部４１が定期的にネットワーク１００を介して図示しない外部装置から取得するようにしてもよい（ステップＡ１）。プレーヤーがプレーに先立ちプレーヤレベルの更新をしたい場合は、ユーザ携帯端末１０から管理サーバ４０にアクセスし、プレーヤーＩＤと現状のプレーヤーレベルを入力する（ステップＡ２）。管理サーバ４０の制御部４１はプレーヤー情報データベース４２１を参照し、入力されたプレーヤーＩＤに対応して登録されているプレーヤーレベルを入力されたプレーヤーレベルに置き換えて更新する（ステップＡ３）。
【００３５】
次に、プレーヤーがコース上でプレーを行う場合の動作について説明する。
【００３６】
まず、プレーヤーがティーグラウンドにゴルフボール２０を置く。このとき、ゴルフボール２０の置かれた場所（例えば、図４の０１００１の識別番号の領域）に対応して設置されたタグリーダライタ３０が、ゴルフボール２０の無線ＩＣタグ２１からプレーヤーＩＤを取得する。なお、プレーヤーＩＤは、ゴルフボール２０の無線ＩＣタグ２１から周期的（例えば、５秒毎）に送信される（ステップＢ１）。
【００３７】
プレーヤーＩＤを取得したタグリーダライタ３０の制御部３２は、所定回数連続して同じプレーヤーＩＤを受信したかを判断する。例えば、所定回数を２回と予め設定している場合は、さらに５秒後の２回目に取得したプレーヤーＩＤも前回と同じであること、すなわち、２回連続で同じプレーヤーＩＤを取得したかを判断する。このステップＢ２の処理は、打たれたゴルフボール２０がコース上を転がっている状態（静止前の状態）における位置情報を管理サーバ４０に送信するのを防止するためである。従って、ティーショットの場合は、タグリーダライタ３０は当然２回連続で同じプレーヤーＩＤを取得することになる（ステップＢ２）。
【００３８】
所定回数連続して同じプレーヤーＩＤを取得したタグリーダライタ３０の制御部３２は、取得したプレーヤーＩＤとプレーヤーＩＤ受信時の電波強度に位置識別番号を付して管理サーバ４０に送信する。ここで、位置識別番号は、ティーショットのためにゴルフボール２０を置いた位置（領域）を一意に識別する番号であり、タグリーダライタ３０の記憶部３４に予め登録されている。なお、各タグリーダライタ３０も各領域にそれぞれ対応して設置されているため、この位置識別番号は各タグリーダライタ３０の装置識別番号と考えてもよい（ステップＢ３）。
【００３９】
次に、タグリーダライタ３０の制御部３２は、時計部３３から現在時刻情報を取得し、ステップＢ３で管理サーバ４０に送信した位置識別番号と現在時刻情報とを、リーダライタ部３１を介してゴルフボール２０の無線ＩＣタグ２１に書き込む（ステップＢ４，Ｂ５）。
【００４０】
ステップＢ３によりプレーヤーＩＤ，プレーヤＩＤ受信時の電波強度と位置識別番号を受信した管理サーバ４０の制御部４１は、同じプレーヤーＩＤを複数のタグリーダライタ３０から受信したかを判断する。この判断は、プレーヤーＩＤが同じでタグリーダライタ３０の装置識別番号でもある位置識別番号が異なる受信の有無により行う（ステップＢ６）。同じプレーヤーＩＤを複数のタグリーダライタ３０から受信しなかった場合は、ステップＢ８に進む。同じプレーヤーＩＤを複数のタグリーダライタ３０から受信した場合は、制御部４１はそれぞれの電波強度を比較し、電波強度が最大のプレーヤーＩＤ，位置識別番号を抽出する（ステップＢ７）。
【００４１】
次に、制御部４１はプレーヤーＩＤ，位置識別番号をプレー履歴データベース４２２に登録する。図３に、プレー履歴データベース４２２に格納されるデータの一例が示されている。このプレー履歴データベース４２２には、プレーヤーＩＤ別に、プレー年月日，気象状態（風向き，風速，晴／雨等），プレーヤーレベル，ボール存在地点，使用クラブ情報（種類，番手）等が登録され、プレー履歴として記録される。管理サーバ４０の制御部４１はプレー履歴データベース４２２を参照し、受信したプレーヤーＩＤが当日の履歴として存在するかを確認する。今回は第１ホールのティーショット領域であるため、当日の履歴としては存在しない。そこで、制御部４１は、図３に示すような当日のプレーヤーＩＤ対応のデータテーブルを生成する。次に、制御部４１は当日の年月日情報を図示しない時計部から取得し、受信したプレーヤーＩＤ対応に登録する。そして、制御部４１はステップＡ１で予め登録されている当日現在の気象状態（風向き，風速，晴／雨等）と、プレーヤー情報データベース４２１に予め登録されているプレーヤーレベルを取得し、プレーヤーＩＤ，年月日対応に登録する。最後に、制御部４１は、今回プレーヤーＩＤとともに受信した位置識別番号（図３では、０１００１）をボールの存在地点情報として登録する。使用クラブ情報は、この時点（ゴルフボール２０を一度もショットしていない時点）では未だ登録されない。以上の登録が終了すると、図３の第１行目に示した状態（但し、使用クラブ情報のみ空欄）となる（ステップＢ８）。
【００４２】
次に、制御部４１はプレー履歴データベース４２２を検索し、受信したプレーヤーＩＤのプレーヤーと同じプレーヤーレベルで気象状態が一致し、受信した位置識別番号がプレー地点であるプレー履歴を抽出する。プレーヤーレベルが同じであればショット技術も同じようなものと考えられるため、自分だけでなく他のプレーヤーの過去に登録されたプレー履歴も含めて検索する。なお、プレー地点とはゴルフボール２０をショットする地点（領域）のことであり、図３のボール存在地点がそれに相当する。図３においては、例えば、ボール存在地点０１００１（１番ホールの００１領域）から１番ウッドのクラブでショットした結果、ゴルフボール２０が０１０２５地点（１番ホールの０２５領域）に到達したことを示している。同様に、引き続きボール存在地点０１０２５地点から５番アイアンのクラブでショットした結果、ゴルフボール２０が０１０３８地点（１番ホールの０３８領域）に到達したことを示している。また、気象状態については、風向き，風速，晴／雨の全てが完全に一致するのは難しい場合もあるため、一致しなかった場合は予め定めた優先順位に基づいて抽出する。例えば、優先順位を風向き→風速→晴／雨の順とし、風向きは一致することを必要条件とするが、例えば、風速は±３ｍ／ｓ以内であればよいとし、晴／雨は最悪一致しなくてもよいとする。また、上記による検索を行っても該当するプレー履歴が得られなかった場合は、プレーヤーレベルを１レベル上げて同様の検索を行う。また、検索の結果得られたプレー履歴が所定数（例えば、３）を超えた場合には所定数のみ抽出する。このとき、所定数への絞り込みは、例えば、受信したプレーヤーＩＤ（プレーヤー本人）のプレー履歴に限定する、気象状態の一致度が高い順に選択する、等により行う。上記検索の結果として、図４に示すように、到達地点，プレーヤーＩＤ，プレーヤーレベル，風向き，風速，晴／雨，使用クラブが該当プレー履歴情報として抽出される（ステップＢ９）。
【００４３】
次に、制御部４１はコースマップデータベース４２３からプレー地点である第１ホールのホールマップを取得する。そして、制御部４１は、ホールマップ上にプレー地点としての現在地と、抽出した到達地点（位置識別番号０１０１２，０１０１４，０１０１６の領域）とを、領域を囲む太枠やマーク等と位置識別番号で表示したホールマップ情報を生成する（図４参照）。また、制御部４１はコースマップデータベース４２３に登録されている領域間距離情報を基に、プレー地点から各到達地点までの距離を取得し、ステップＢ７で抽出したプレー履歴情報に追加する。その後、制御部４１は、生成したホールマップ情報とステップＢ７で抽出したプレー履歴情報とを図４のように合成し、電子メールに添付してユーザ携帯端末１０に送信する。このとき、プレーヤーのメールアドレスは、プレーヤーＩＤをキーにしてプレーヤー情報データベース４２１から取得する（ステップＢ１０）。
【００４４】
プレーヤーは、ユーザ携帯端末１０で受信，表示したホールマップ情報およびプレー履歴情報を参照して、使用するクラブを決定する（ステップＢ１１）。その後、プレーヤーは決定したクラブでゴルフボール２０をショットする。そして、プレーヤーはユーザ携帯端末１０から管理サーバ４０にアクセスし、使用したクラブ情報（種類，番手），ホール番号およびそのホールにおけるショット情報をプレーヤーＩＤとともに送信する。ここで、ホール番号とはプレーヤーが現在プレーしているホールを特定する情報（例えば、第１ホール）であり、ショット情報とはそのホールにおいて何打目のショットであるかを示す情報（例えば、第１打）である（ステップＢ１２）。管理サーバ４０の制御部４１は、受信したクラブ情報をプレー履歴データベース４２２のプレーヤーＩＤ対応のテーブルに登録する。プレーヤーＩＤ対応のテーブルはステップＢ６で生成された当日のプレーヤーＩＤ対応のデータテーブルである。図３を参照して説明すると、現時点ではプレーヤーＩＤ対応のテーブルは図３の第１行目の状態（但し、使用クラブの種類，番手の欄のみ空欄）である。制御部４１は、第１ホールの第１打の情報を受け、図３の当日の該当プレーヤーＩＤ対応の第１ホールのボール存在地点情報を参照する。図３ではボール存在地点０１００１（第１ホールの領域００１）が最初に登録された地点（第１打の地点）であるため、制御部４１はこのボール存在地点０１００１に対応するクラブ情報の欄に、受信したクラブの種類，番手（例えば、１番ウッド）を登録する。同様に、第２打の情報を受信したときには、制御部４１は図３のボール存在地点０１０２５に対応するクラブ情報の欄に、受信したクラブの種類，番手（例えば、５番アイアン）を登録する（ステップＢ１３）。
【００４５】
以後、各ホールにおいてステップＢ１〜ステップＢ１３の動作をカップインするまで繰り返す。
【００４６】
なお、ゴルフボール２０にはステップＢ５で説明したように、位置識別番号と時刻情報がボールの移動の度に書き込まれている。従って、全プレー終了後に、ゴルフボール２０に書き込まれた情報を読み取り、コース上におけるゴルフボール２０の移動軌跡を表示することができる。このためには、タグリーダ機能と、アプリケーションプログラムにより動作するＣＰＵ等の制御部と、データベースと、表示部とを備えた軌跡表示装置を準備する。この軌跡表示装置は、例えば、ユーザ携帯端末１０、ゴルフ場施設やプレーヤー自宅に備えられたパーソナルコンピュータ等である。なお、データベースには、コースの各ホールを複数の領域に分けた形で表示したホールマップ（例えば、図４参照）と、各領域と位置識別番号を対応付けたテーブルとが格納されている。次に、ゴルフボール２０の軌跡を表示する場合の動作について説明する。まず、軌跡表示装置のタグリーダはゴルフボール２０の無線ＩＣタグ２１から軌跡情報（位置識別番号と時刻情報）を読み取る。制御部は、位置識別番号からホール番号を識別し、各ホール対応に位置識別番号と時刻情報の組み合わせを分けるとともに、表示部にホール番号一覧を表示する。プレーヤーが希望するホール番号を選択すると、制御部はデータベースから該当ホールのホールマップを取得し、そのホールマップ上の受信した複数の位置識別番号に該当する領域にマークをつけることにより移動軌跡を表示する。なお、同じ時刻の複数の位置識別番号が読み取られた場合（領域境界周辺で複数のタグリーダライタ３０により書き込まれた場合）は、複数の領域の境界部分にマークをつける。または、ゴルフボール２０の無線ＩＣタグ２１に電波強度も併せて記録し、軌跡表示装置の制御部が電波強度最大の領域を選択して表示させるようにしてもよい。
【００４７】
以上説明したように、本実施の形態においては、ボールが移動する度にその地点における使用クラブとショット後のボール到達場所の情報を、プレーヤーのレベルや気象状態が一致する過去のプレー履歴から抽出してプレーヤーが携帯する端末に送信している。これにより、プレーヤーはコース上の同じ地点における過去の同じレベル，同じ気象状態での使用クラブやボール到達地点情報が自動的に得られるため、各プレー地点でのクラブ選択が容易になるという効果がある。
【００４８】
また、ボールが移動する度にボールに内蔵された無線ＩＣタグに位置識別番号を時刻情報とともに書き込んでいるため、全プレー終了後、この位置情報と時刻情報からプレーの軌跡を参照することができるという効果がある。
【００４９】
次に、本発明の応用例，変形例等について説明する。
【００５０】
・上記実施の形態においては、ゴルフボール２０の無線ＩＣタグ２１はアクティブタグであるとして説明したが、パッシブタグ（リーダライタのアンテナからのエネルギーを電源として送受信を行うタグ）としてもよい。この場合は、タグリーダライタ３０のリーダライタ部３１が所定周期（例えば、５秒毎）でゴルフボール２０の無線ＩＣタグ２１にプレーヤーＩＤの要求を行う。これにより、ゴルフボール２０に電池が不要となるとともに、電池切れを心配する必要がなくなるという効果がある。
【００５１】
・上記実施の形態においては、気象状態は風向き，風速，晴／雨の気象要素としたが、これに限定されず、これらいずれか二つの組みあわせや、いずれか一つであってもよいし、他の気象要素を追加してもよい。
【００５２】
・上記実施の形態においては、図５のステップＢ９で、受信したプレーヤーＩＤと同じプレーヤーレベルで気象状態が一致し、受信した位置識別番号がプレー地点であるプレー履歴を抽出すると説明した。この場合、抽出されるプレー履歴はプレーヤー本人だけでなく、レベルが同じ他プレーヤーの分も含まれることになる。応用例として、抽出されるプレー履歴を自分の過去の履歴だけにするか、他人も含めるかの事前登録を管理サーバ４０のプレーヤー情報データベース４２１に含めるようにしてもよい。同様に、同じプレーヤーレベルで該当するプレー履歴がなかった場合に、他のプレーヤーレベルのプレー履歴も検索するか否かの事前登録を管理サーバ４０のプレーヤー情報データベース４２１に含めるようにしてもよい。この場合、ステップＢ９において、制御部４１はプレーヤー情報データベース４２１を参照し、プレーヤーが希望するプレー履歴（自分のみの履歴または他人も含めた履歴、プレー履歴抽出対象のプレーヤーレベル）を取得した後、検索，抽出を行うことになる。これにより、プレーヤーが自分のみの履歴，他人も含めた履歴の選択や、検索対象を自分と同じプレーヤーレベルに限定するかしないかの選択ができるという効果が得られる。
【００５３】
・上記実施の形態においては、ゴルフボール２０が複数のタグリーダライタ３０からプレーヤーＩＤを読み取られた場合に、受信電波強度が最大であったタグリーダライタ３０の領域をボール存在地点としてプレー履歴データベース４２２に登録している。これに代えて、電波強度に関係なく、プレーヤーＩＤを読み取った複数のタグリーダライタ３０の位置識別番号の全てを、ボール存在地点としてプレー履歴データベース４２２に登録するようにしてもよい。この場合は、タグリーダライタ３０からプレーヤーＩＤを管理サーバ４０に送信するときに電波強度の送信は不要となる。また、管理サーバ４０の制御部４１がホールマップに到達地点や現在地を表示するときには、ボール存在地点として登録された複数の位置識別番号（領域）の境界部分を表示することになる。
【図面の簡単な説明】
【００５４】
【図１】本発明の一実施の形態の構成を示す図である。
【図２】プレーヤー情報データベース４２１に格納されるデータの一例を示す図である。
【図３】プレー履歴データベース４２２に格納されるデータの一例を示す図である。
【図４】プレー履歴に基づいたホールマップ情報を示す図である。
【図５】本発明の一実施の形態の動作を示すフローチャートである。
【符号の説明】
【００５５】
１０    ユーザ携帯端末
２０    ゴルフボール
２１    無線ＩＣタグ
３０    タグリーダライタ
３１    リーダライタ部
３２    制御部
３３    時計部
３４    記憶部
３５    通信部
４０    管理サーバ
４１    制御部
４２    記憶部
４２１    プレーヤー情報データベース
４２２    プレー履歴データベース
４２３    コースマップデータベース
１００    ネットワーク
【図１】
2006087821.tif 000003
【図２】
2006087821.tif 000004
【図３】
2006087821.tif 000005
【図４】
2006087821.tif 000006
【図５】
2006087821.tif 000007